(57)【要約】      （修正有）【課題】生ゴミの拡散が渦巻き状に拡散され、生ゴミが羽根に絡むことが無く連続運転ができ、万一、長時間停止した時に凝固状態からでも再稼働時に過負荷を防止できるドラム式生ゴミ処理機を提供する。【解決手段】１枚の拡散用の羽根はドラムの円周内面付近に位置させドラム内面の生ゴミが付着するのを防ぐと同時に拡散し、他方の拡散用の羽根はそれより短くしてドラム径の４分の１付近を拡散する事によって、程よく渦巻き拡散が行われ、同時に送風がドラム円周内面まで届き、また、長さの異なる羽根を片側固定で傾斜角を付けたものを設け、可動レバ−で位置を変えることができる。【選択図】図４
2005021789.tif 000002
【特許請求の範囲】
【請求項１】
ドラム  側面に生ゴミ投入口（１４）を設け、一方支えフレーム（２２）より可動レバー（３）羽根軸（２）羽根固定台（４）を介して、それぞれ長さの異なる  羽根Ａ（５）、羽根Ｂ（６）といった複数枚を羽根固定台（４）に片持で固定  そしてドラム回転軸に対して傾斜角度を付けて  ドラム（１）内に設け、羽根が可動レバ−（３）  で位置が変えられ、ビン（１９）で脱着でき、送風は羽根軸（２）を利用して行って、ドラムが回転する、ドラム式生ゴミ処理機  。
【請求項２】
羽根Ａ、羽根Ｂ（５、６）といった、それぞれ長さの違う複数枚の羽根を設けた、請求項１記載のドラム式  生ゴミ処理機
【請求項３】
羽根Ａ（５）の羽根の長さは、ほぼドラム円周内面の長さに、羽根Ｂ（６）の長さは、羽根Ａ（５）の長さより短くした、請求項１記載のドラム式  生ゴミ処理機
【請求項４】
羽根Ａ（５）、羽根Ｂ（６）は  羽根固定台（４）に片持で固定、ドラム回転軸に対して傾斜角が付けてある、請求項１記載のドラム式生ゴミ処理機
【請求項５】
羽根固定台（４）は、可動レバ−（３）と一体となっている、請求項１記載のドラム式  生ゴミ処理機
【請求項６】
羽根Ａ（５）羽根Ｂ（６）は、可動レバ−（３）で位置を変えることが出来る、  請求項１記載のドラム式  生ゴミ処理機
【請求項７】
羽根Ａ（５）羽根Ｂ（６）は、ピン（１９）によって脱着ができる、請求項１記載のドラム式  生ゴミ処理機
【請求項８】
送風は羽根軸内（２）を利用して行う、請求項１記載のドラム式  生ゴミ処理機
【発明の詳細な説明】
【０００１】
【発明の属する技術分野】本発明は、生ゴミ処理の過程で拡散と絡み、  そして過負荷防止と送気に関する。
【０００２】
【従来の技術】
回転するドラム内部に数ケ所の拡散羽根と仕切板を設けゴミの拡散をしている。（例えば、特開２００２−２１０４４１参照）
【０００３】
【発明が解決しょうとする課題】
従来の方法にあっては、生ゴミがドラム円周内面や拡散羽根の取付部に貯まったり、拡散羽根に絡んだりする，従って連続運転が不可能になる、また  処理途中で数時間以上停止した時に凝固する場合がある、その時  再運転すれば過負荷になり故障の原因となる、そして、送風が万べんなく生ゴミに直接送風する手立てが無かった、などの問題点があった。
【０００４】
本発明は、生ゴミを投入口から入る程度の大きさの生ゴミでも羽根に絡むことなく連続運転ができる、さらに万一、処理途中から運転を開始しても過負荷を防止できる機能が備っている、さらに生ゴミの拡散が渦巻状に拡散されドラム円周内面まで送風を届かせ効果的な送風を得る目的としている。
【０００５】
【課題を解決するための手段】
上記目的を達成するために、１枚の拡散用の羽根はドラムの円周内面付近に位置させドラム内面の生ゴミが付着するのを防ぐと同時に拡散し、  他方の拡散用の羽根はそれより短くしてドラム径の４分の１付近を拡散する事によって、程よく渦巻き拡散が行われ、同時に送風がドラム円周内面まで届く、また  羽根Ａ、Ｂは片側固定で図４に示すように傾斜角度を付けることによって生ゴミの絡みを防ぐ、また  羽根Ａ、Ｂを可動レバ−（３）で位置を変えて軽負荷運転にすることも出来るようにした。
【０００６】
拡散羽根の数は２個以上が必要で、長さはドラム中心部に近い程、短くすることによって渦巻き拡散するので効果的である。
【０００７】
送風は可動レバ−（３）又は羽根軸（２）の中を送風路として、羽根固定台（４）付近に吹出口（１８）を設ける、羽根固定台（４）付近が拡散中に空洞状態になり、ドラム円周内面まで送風が行き届き送風効果がよい。
【０００８】
上記拡散羽根は、いずれも片側固定で、ドラム回転軸に対して角度を付けて羽根固定台（４）に固定してあって、生ゴミの長い物が巻き付いても、傾斜角度が付いているので取り除く効果がある。
【０００９】
羽根固定台（４）はピン（１９）を支点にして可動レバ−（３）と一体となって動く、万一  処理中に運転を長時間中止した時、処理物が凝固する場合がある、その場合に稼動レバ−（３）を操作して軽負荷状態（３図）から運転を開始することが容易である。
【００１０】
【発明の実施の形態】
図１において、生ゴミ処理機のカバ−（２３）  の内部に減速機（９）  を介して、ドラム（１）  を回転させ、支えフレ−ム（２２）  と可動レバ−（３）は、ピン（１９）  でセットできる様になっていて、従って  拡散羽根の位置を変えたり、脱着が簡単に行える。生ゴミ処理状態では羽根Ａ（５）はドラム円周内面付近に位置させ、他の  羽根Ｂ（６）は生ゴミの抵抗を受け易い位置に設ける、それぞれの長さは、ドラムの中心になる程短くして、それぞれの拡散羽根はドラム回転軸に対して傾斜角を付け、送風の吹出口（１８）は羽根軸（２）からでている。
【００１１】
図２に示されている実施例では、ドラムが矢の方向に回転した場合に可動レバ−が本図の位置であれば羽根Ａは、ドラム円周内面付近を、羽根Ｂはドラム径の４分１程度の位置で羽根Ａの長さより短くしてあれば、処理過程の生ゴミの拡散経路がＡ１、Ａ２、Ａ３といったようになる。  図１に示すように羽根Ｂが、羽根Ａより長さが短い。
【００１２】図３に示されている実施例では、可動レバ−  をの本図位置であれば、図２と比較して生ゴミの拡散経路がＡ１、Ａ２、Ａ３と変わる。
【００１３】
【発明の効果】
本発明は、以上説明したように構成されているので、以下に記載されるような効果をもたらす。
【００１４】
片側固定の羽根を少なくともドラム円周内面付近にほぼドラム内幅の長さものとドラム径の４分の１程度付近に短くしたものを設けて、渦巻き拡散とドラム円周内面の付着を防止できる。
【００１５】
羽根は片側固定でしかもドラム回転軸に対して傾斜角を付ける事によって、羽根にゴミが絡むことが防げる。
【００１６】
万一、処理途中に長時間運転を中止した場合に、処理物が凝固する場合があって運転再開すると羽根などを破損させることを防ぐのに、羽根をピンを支点として可動レバ−で位置を変えて軽負荷状態（図３）にする。
【００１７】
また  羽根の脱着が投入口からピンの脱着で簡単にできて、点検や取替ができる。
【００１８】
送風は  羽根軸を利用して、吹き出し口が羽根固定台の通りにあってドラム円周内面に向いていて、ドラム円周内面まで届き効果的な送風がおこなえる。
【図面の簡単な説明】
【図１】生ゴミ機の断面図である。
【図２】可動レバ−のゴミ処理中の状態位置とゴミ拡散経路を示す図である。
【図３】可動レバ−の軽負荷状態の位置とゴミ拡散経路を示す図である。
【図４】羽根Ａ、Ｂの傾斜角を示す図である。
【符号の説明】
１    ドラム
２          羽根軸
３    可動レバ−
４    羽根固定台
５        羽根Ａ
６    羽根Ｂ
１４  投入口
１９      ピン
２２      支えフレ−ム
Ａ１、  Ａ２、  Ａ３    拡散経路
【図１】
2005021789.tif 000003
【図２】
2005021789.tif 000004
【図３】
2005021789.tif 000005
【図４】
2005021789.tif 000006